(57)【要約】【課題】本考案は、煙点試験機の灯心を灯心管に容易にしかも安全にねじむことを可能とする灯心調整用支持具を提供する。【解決手段】 柱状体(10)に、両底面で開口する中空部(20)を設ける。該開口の一方(21)をキャンドルキャップ(34)の受入口としてその口径を該キャンドルキャップの最大径よりも大きくする。また、該中空部内面に、該受入口を有する該底面(10a)から２２ｍｍの位置において、該中空部の径が灯心管(32)の外径よりも小さく灯心の通過を許容する縮径部(22)を設ける。 該縮径部から該受入口を有さない開口側へ６ｍｍの位置に、該柱状体の軸線と直交し側部表面から該中空部に至る切り込み(16)を形成する。更に、該側部に、互いに平行する２つの平坦面(13a,13b)を有する把持用部(13)を設ける。【選択図】  図１
0003138749.tif 000002
【実用新案登録請求の範囲】
【請求項１】
柱状体(10)に、両底面で開口する中空部(20)を設け、
該開口の一方(21)をキャンドルキャップ(34)の受入口としてその口径を該キャンドルキャップ(34)の最大径よりも大きくし、
該中空部(20)内面の該受入口を有する該底面(10a)から２２ｍｍの位置において、該中空部(20)の径が灯心管(32)の外径よりも小さく灯心の通過を許容する縮径部(22)を設け、
該縮径部(22)から該受入口を有さない開口側へ６ｍｍの位置に、該柱状体(10)の軸線と直交し側部表面から該中空部(20)に至る切り込み(16)を形成し、
該側部に、互いに平行する２つの平坦面(13a,13b)を有する把持用部(13)を設けたこと
を特徴とする灯心調整用支持具。
【請求項２】
該把持用部(13)は、該側部から延出している請求項１に記載の灯心調整用支持具。
【請求項３】
該把持用部(13)は、該柱状体(10)に対し着脱自在となっている請求項２に記載の灯心調整用支持具。
【請求項４】
該柱状体(10)は、該中空部(20)を有する本体部材(11)と、該本体部材(11)の外表面に着脱自在の付属部材(14)とで構成され、該把持用部(13)は該付属部材(14)から延出している請求項３に記載の灯心調整用支持具。
【考案の詳細な説明】
【技術分野】
【０００１】
本発明は、ＪＩＳ  Ｋ  ２５３７に規定されている煙点試験機の灯心の長さ調整に用いる灯心調整用支持具に関するものである。
【背景技術】
【０００２】
灯油、航空タービン燃料油などの品質を示す性状の一つである煙点は、ＪＩＳ  Ｋ  ２５３７に従って測定されている。すなわち、綿糸を丸棒状に織った灯心がねじ込まれた灯心管を筒状のキャンドルにねじ込み、キャンドル内に貯留された試料に灯心を浸した状態で、キャンドルから突出している灯心の端部に灯火し、通気孔を備えたランプ本体に対しキャンドルを移動させ、炎の状態の変化を目視で測定する。
【０００３】
上記測定に使用される灯心の仕様に関し構成する糸の太さや密度が決められているが、その外径は、灯心管の所定の内径よりも大きくなるため、灯心を灯心管にねじ込む作業（以下、ねじ込み作業という）には手間と時間を要するものとなっていた。そこで、このねじ込み作業を容易にするための手段も考案されており、そのような手段として、例えば、特開平８−１５２５２号公報に開示されている煙点測定用灯心引抜金具がある。
【０００４】
この煙点測定用灯心引抜金具は、四本以上の先端爪を有する引っ掛け金具と、先端爪を収容する円筒部材とを備えるもので、灯心を狭んだ先端爪を円筒部材に収容して灯心を引っ掛け金具に固定し、円筒部材と一体になった引っ掛け金具を灯心管に通すことで、灯心管に灯心を容易にねじ込むことができる。なお、灯心の灯火側端部を灯心管から突出させる長さは６ｍｍと規定されているが、この公報に開示されているキャップを使用し、その調整を容易に行うことができる。すなわち、灯心管にねじ込まれた状態にある灯心の灯火側端部を前記キャップに通し、キャップを灯心管に接する位置まで移動させ、その状態における灯心の、キャップから突出した部分をカッターで切断することにより突出長さを調整することができる。
【０００５】
一方、この煙点測定用灯心引抜金具と、基本的な原理は同じとしながら、構造をより簡素にしたもの（以下、改良型引抜具という）が市販されている。この改良型引抜具は、図３に示すように、先端３１ａが釣り針状とされた剛性を有する線材３１と、灯心管３２の先端部３２ａに着脱自在の筒体３３を備えている。筒体３３は、その開口の一方がキャンドルキャップ３４の外形に適合する大きさに拡径され、灯心管３２の先端部３２ａが挿入される長さを規制するための規制段部３５が形成されている。また、規制段部３５から長さ方向に所定距離離れた位置において、軸線と直交し側面から中空部３６に至る切り込み３７が形成されている。なお、ここにいうキャンドルキャップ３４とは、ＪＩＳ  Ｋ  ２５３７に規定されているキャンドルのキャップを示すが、特開平８−１５２５２号公報に開示されているキャップとの区別を行うため、便宜上「キャンドル」を付した語である。
【０００６】
この改良型引抜具を使用して灯心管３２に灯心（図示せず）をねじ込むには、まず、キャンドルキャップ３４を灯心管３２にとりつけ、筒体３３を、キャンドルキャップ３４に被せるように装着する。次に、線材３１を、筒体３３側から灯心管３２に通し、釣り針状の先端部３１ａに灯心を引っ掛けてから、線材３１を灯心管３２から引き抜く。このとき、灯心が引っ掛けられた先端部３１ａは、灯心とともに灯心管３２を通ってその外側に移動するので、灯心が灯心管３２にねじ込まれた状態となる。なお、灯心の灯火側端部は、筒体３３の切り込み３７にカッターナイフの刃を挿入して切断することにより、所定の突出長さとすることができる。筒体３３は、灯心の突出長さ調整後、キャンドルキャップ３４から取り外せばよい。
【特許文献１】特開平８−１５２５２号公報
【考案の開示】
【考案が解決しようとする課題】
【０００７】
しかしながら、上記従来の煙点測定用灯心引抜金具や改良型引抜具（従来の灯心引抜具）では、灯心を線材に固定するための先端部が鋭く尖っており、灯心管に通した線材を引き抜く際、灯心管を把持している手を傷つけるという問題があった。
【０００８】
そこで、本考案は、煙点試験機の灯心を灯心管に容易にしかも安全にねじむことを可能とする灯心調整用支持具を提供することを目的とする。
【課題を解決するための手段】
【０００９】
本考案に係る灯心調整用支持具は、柱状体であり、両底面で開口する中空部が設けられている。
柱状体とは、平行する一組の底面と、これら底面に直交する軸線方向に長い立体であればよく、その底面形状に制限はない。また、複数の部材が組み合わさったものであっても、その組み合わせた形状が上記の通りであれば、本考案における柱状体であるものとする。
【００１０】
該開口の一方は、キャンドルキャップの受入口としてその口径が該キャンドルキャップの最大径よりも大きくされている。
キャンドルキャップとは、ＪＩＳ  Ｋ  ２５３７に規定されているキャンドルのキャップである。
【００１１】
該中空部内面の該受入口を有する該底面から２２ｍｍの位置には、中空部の径が灯心管の外径よりも小さくなる縮径部が設けられている。また、該縮径部から該受入口を有さない開口側へ６ｍｍの位置に、該柱状体の軸線と直交し側部表面から中空部に至る切り込みが形成されている。更に、該側部に、互いに平行する２つの平坦面を有する把持用部が設けられている。
【００１２】
該把持用部は、該側部から延出していてもよい。
【００１３】
該把持用部は、該柱状体に対し着脱自在となっていてもよい。
【００１４】
該柱状体は、該中空部を有する本体部材と、該本体部の外表面に着脱自在の付属部材とで構成され、該把持用部は該付属部材から延出していてもよい。
【考案の効果】
【００１５】
本考案に係る灯心調整用支持具は、キャンドルキャップをとりつけた灯心管に、キャンドルキャップに被せるように装着して使用する。装着にあたっては、口径がキャンドルキャップの最大径よりも大きくなっている受入口をキャンドルキャップに被せればよい。この際、灯心管の先端から、キャンドルキャップの下側に延出しているねじ込み部の基端（キャンドルキャップ最大径部の下面）までの長さが規定の長さ（２２ｍｍ）から外れている場合、中空部内面に設けられた縮径部により灯心管の中空部への挿入が規制されていることから、キャンドルキャップ最大径部の下面と受入口を有する底面との間に段差が生じることになる。そこで、キャンドルキャップ最大径部の下面を柱状体の底面と同じ水準にすることで、灯心管の先端からキャンドルキャップ最大径部に至る長さ、すなわち灯心管の突出長さを簡単に調整できる。
【００１６】
灯心管への装着後、灯心を固定した線材を灯心管から引き抜く作業を行うにあたっては、柱状体の側部に設けられた把持用部を万力等の狭持具で把持固定する。すると、線材の先端部は狭持具に接触することとなり、鋭く尖った線材の先端部で手を傷つけることなく、引抜作業を安全に行うことができる。なお、灯心の突出長さは、軸線と直交し側部表面から中空部に至る切り込みにカッターナイフの刃を挿入して切断することにより、所定長（６ｍｍ）に調整することができる。
【００１７】
従って、本考案に係る灯心調整用支持具によれば、煙点試験機の灯心を灯心管に容易にしかも安全にねじむことが可能となる。
【００１８】
把持用部は、その互いに平行する２つの平坦面を、柱状体の側部を面取りして形成することにより設けることができる。この場合、柱状体の側部を把持用部として使用することができる。ただし、把持用部は使用状況に応じ適宜の形状とすればよく、例えば、柱状体の側部から延出したものであってもよい。
この場合、把持する部位が柱状体の中空部から離れた位置に配置されるため、素手で把持しても、鋭く尖った線材の先端部で手を傷つけることが無くなる。従って、狭持具を使用することなく素手で固定する必要がある場合であっても、線材の引抜作業を安全に行うことができる。
【００１９】
柱状体の側部から延出する把持用部が、柱状体を把持固定する必要の無い引抜以外の作業の支障となる場合は、柱状体に対し着脱自在とすることにより、把持用部を必要に応じて柱状体から取り外して作業の容易化を図ることができる。
【００２０】
なお、把持用部を柱状体の側部から延出させ、柱状体に対し着脱自在とするための構造に制限はないが、例えば、柱状体を、中空部を有する本体部材と、本体部材の外表面に着脱自在の付属部材とで構成し、この付属部材から把持部を延出させる構造としてもよい。
【考案を実施するための最良の形態】
【００２１】
図１に、本考案に係る灯心調整用指示具の実施例を示す。
この灯心調整用指示具は、柱状体１０に、両底面で開口する中空部２０を設けたものとなっている。そして、キャンドルキャップ３４をとりつけた灯心管３２に、キャンドルキャップ３４に被せるように、図１に示す白抜矢線の方向に装着して使用する。
【００２２】
柱状体１０は、中空部２０を有する円柱形の本体部材１１と、筒体１２の側面から本考案の把持用部１３をなす板材を延出させた形状の付属部材１４とで構成されている。付属部材１４を構成する筒体１２の内径は、本体部材１１の外径よりもわずかに大きく、本体部材１１に被せることにより、その外表面に取り外し自在に装着することができる。なお、付属部材１４の筒体１２の一端には内方に突出した鍔部１２ａが設けられ、この鍔部１２ａが本体部材１１の底面に引っ掛かることで、付属部材１４が本体部材１１に装着された状態となる。この際、中空部２０の開口は付属部材１４に隠れることなく露出するため、中空部２０への線材３１（図３に示す線材３１と同じため図示は省略する）の挿入引抜が可能となる。
【００２３】
付属部材１４の側部、すなわち柱状体１０の側部から延出する把持用部１３は、面積の大きい互いに平行する２つの平坦面１３ａ、１３ｂが、把持の用途に利用される面となる。そして、この把持用部１３によれば、把持する部位が柱状体１０の中空部２０から離れた位置に配置されるため、素手で把持しながら灯心（図示は省略する）を固定した線材３１を引き抜いても、鋭く尖った線材３１の先端部３１ａで手を傷つけるおそれは無く、引抜作業を安全に行うことができる。
【００２４】
本体部材１１の付属部材１４で覆われない側にある中空部２０の開口２１は、キャンドルキャップ３４の受入口としてその口径が、キャンドルキャップ３４の最大径よりも大きくなっている。また、中空部２０内面の、受入口を有する底面から２２ｍｍの位置に、中空部２０の径が灯心管３２の外径よりも小さく灯心の通過を許容する縮径部２２が設けられている。そのため、キャンドルキャップ３４が取付けられた灯心管３２の先端から、キャンドルキャップ３４の下側に延出しているねじ込み部３４ａの基端（キャンドルキャップ最大径部３４ｂの下面）までの長さが規定の長さ（２２ｍｍ）から外れている場合、キャンドルキャップ３４の最大径部３４ｂの下面と受入口を有する底面１０ａとの間に段差が生じることになる。そこで、キャンドルキャップ最大径部３４ｂの下面を柱状体１０の底面１０ａと同じ水準にすることで、灯心管３２の先端からキャンドルキャップ最大径部３４ｂの下面に至る長さ、すなわち灯心管３２の突出長さを簡単に調整できる。
【００２５】
柱状体１０の本体部材１１には、更に、縮径部２２から受入口を有さない開口側へ６ｍｍの位置に、本体部材１１の軸線と直交し側部表面から中空部２０に至る切り込み１６が形成しされている。そのため、灯心の突出長さは、この切り込み１６にカッターナイフの刃を挿入して切断することにより、所定長（６ｍｍ）に容易に調整することができる。
【００２６】
柱状体１０の付属部材１４は、柱状体１０の本体部材１１の外表面に着脱自在であれば、その形状に制限はなく、例えば、筒体１２の代わりに直径長さを調整できる環材を使用してもよい。なお、付属部材１４を本体部材１１に対し着脱自在としておけば、把持用部１３が、柱状体１０を把持固定する必要の無い引抜以外の作業の支障となる場合に、必要に応じて柱状体１０から取り外して作業の容易化を図ることができるため、好ましい。
【００２７】
この灯心調整用支持具の把持用部１３は、万力等の狭持具で狭持することもできるが、万力等の狭持具を利用できる場合、この把持用部１３の形状を変えたものとしてもよい。図２に把持用部の形状を変えた他の実施例を示す。なお、図２において、図１と実質的に同じ部分には同符号を付し、その説明を省略又は簡略化する。
【００２８】
図２に示す灯心調整用支持具は、図１に示す実施例に対し、柱状体１０の構成において相違している。すなわち、柱状体１０は、付属部材を有さず本体部材のみで構成されている。そして、柱状体１０の側部を面取りして形成した互いに平衡する２つの平坦面１３ａ、１３ｂが把持用部をなすものとなっており、把持固定の際にはこれら柱状体１０側部の平坦面１３ａ、１３ｂを把持する。その他の構造は図１に示す実施例と同様であり、把持用部（平坦面１３ａ、１３ｂ）を素手で把持できない点以外は、同じ効果を得ることができる。
【図面の簡単な説明】
【００２９】
【図１】本考案に係る灯心調整用支持具の実施例を、その一部を切断して示す斜視図である。
【図２】本考案に係る灯心調整用支持具の他の実施例を、その一部を切断して示す斜視図である。
【図３】キャンドルキャップが取付けられた状態の灯心管と、線材及び筒体からなる従来の改良型引抜具の概観を示す正面図である。
【符号の説明】
【００３０】
１０  柱状体
１０ａ  底面
１１  本体部材
１２  筒体
１３  把持用部
１３ａ、１３ｂ  平坦面
１４  付属部材
１６  切り込み
２０  中空部
２１  開口
２２  縮径部
３２  灯心管
３４  キャンドルキャップ
【図１】
0003138749.tif 000003
【図２】
0003138749.tif 000004
【図３】
0003138749.tif 000005